(57)【要約】【課題】保護キャップを取り外すことなく、定着具より外側のＰＣ鋼より線の状態、または定着具の状態をチェックできる橋梁ケーブルの定着具の透視モニタリング機構の提供。【解決手段】橋梁ケーブルのケーブル線材６００が定着具３０３，４０３に挿通され、かつ定着具３０３，４０３により固定され、定着具３０３，４０３の軸方向外側に保護キャップ３０１，４０１が設置されてケーブル線材６００を覆い、保護キャップ３０１，４０１が透視可能であり、保護キャップ３０１，４０１を取り外すことなく、外部からケーブル線材６００をチェックできる。【選択図】図４
0003228129.tif 000002
【実用新案登録請求の範囲】
【請求項１】
橋梁ケーブルの定着具の透視モニタリング機構であって、該橋梁ケーブルが主塔上方に取り付けられる固定端と、橋梁側に固定される引張端をそれぞれ備え、固定端と引張端の間に前記橋梁ケーブルのケーブル線材が設置され、該ケーブル線材が前記定着具に挿通され、かつ該定着具により固定され、該定着具の軸方向外側に保護キャップが設置されて前記ケーブル線材を覆い、該保護キャップが透視可能な保護キャップであり、該保護キャップを取り外すことなく、外部から直接該定着具より軸方向外側のケーブル線材をチェックできる、ことを特徴とする、橋梁ケーブルの定着具の透視モニタリング機構。
【請求項２】
前記保護キャップが、外部から透視可能なアクリル製保護キャップである、ことを特徴とする、請求項１に記載の橋梁ケーブルの定着具の透視モニタリング機構。
【請求項３】
前記保護キャップが、外部から透視可能な強化ガラス製保護キャップである、ことを特徴とする、請求項１に記載の橋梁ケーブルの定着具の透視モニタリング機構。
【請求項４】
前記保護キャップが、外部から透視可能なＰＣ保護キャップである、ことを特徴とする、請求項１に記載の橋梁ケーブルの定着具の透視モニタリング機構。
【請求項５】
前記ケーブル線材が、ＰＣ鋼より線、ワイヤロープ、耐疲労性ケーブル、炭素繊維より線のいずれかである、ことを特徴とする、請求項１乃至４のいずれかに記載の橋梁ケーブルの定着具の透視モニタリング機構。
【考案の詳細な説明】
【技術分野】
【０００１】
本考案は、橋梁のメンテナンス作業員が、保護キャップを取り外すことなく、外部から直接定着具より軸方向外側のケーブル線材の防錆グリースが変質していないか、または定着具の部材の緊張状態が外れていないか、チェックでき、適時に交換、メンテナンスまたは検査、修理を行い、予防計画を立てることができる、橋梁ケーブルの定着具の透視モニタリング構造に関する。
【背景技術】
【０００２】
従来の斜張橋は、図１に示すように、橋梁１００の上方に主塔１０１が立設され、さらに数本のケーブル１０２をそれぞれ主塔１０１の上端と橋梁１００に連結し、橋梁１００を吊って平衡状態にしている。
【０００３】
従来の橋梁のケーブルは、主として、ケーブルの内部にプレストレスＰＣ鋼より線（ＰＣ−Ｓｔｒａｎｄ）を埋設し、１本のＰＣ鋼より線、または複数本のＰＣ鋼より線を束ねて使用することで異なる作業環境の張力条件に対応しており、ＰＣ鋼より線に錆や腐蝕が発生しないようにするために、ケーブルの外部を通常さらに一層の高密度ポリエチレン（ＨＤＰＥ、Ｈｉｇｈ−Ｄｅｎｓｉｔｙ−Ｐｏｌｙｅｔｈｙｌｅｎｅ）管、アルミ合金管、またはその他の保護管で被覆している。
【０００４】
橋梁ケーブルは、設計の段階でシミュレーションまたは実務経験を通じて、その負荷強度を高めることができるが、その設置場所における海風や強風、豪雨等の気候環境、または車体の衝撃等の要因により使用寿命に影響を生じやすいため、橋梁ケーブルの引張力に対してモニタリングを行うことが、橋梁の安全確保に重要な手段となっている。
【０００５】
橋梁の建設が完了した後は地方交通の要道となるため、橋梁の検査・修理のために橋を封鎖することはできない場合が多く、このためほとんどが交通に影響しない範囲で検査・修理を実施しているのみである。
ケーブルは主にＰＣ鋼より線を利用して強度を提供しており、ＰＣ鋼より線の両端が定着部で固定されている。通常は、図２に示すように、定着具１０３がケーブル１０２の両端に設置され、ＰＣ鋼より線が定着具１０３に挿通されて固定され、定着具１０３を通過した外側のＰＣ鋼より線の表面にエポキシ樹脂塗装を施して錆と腐蝕を防止するか、ＨＤＰＥ管で被覆してから、ＨＤＰＥ管の内部に腐蝕防止または防錆用グリースを注入し、最後に金属保護キャップ１０４で全体を被覆して密封される。
【０００６】
しかしながら、定着部の設置される位置は主塔の上端または橋梁底部の隠れた位置であるため、橋梁ケーブルの定着部に対して定期検査・修理を行うときは、先に定着具１０３より外側の金属保護キャップ１０４を取り外さなければ、定着具１０３より軸方向外側のＰＣ鋼より線の防錆グリースが変質していないか、または定着具１０３の部材の結合状況にずれがないかをチェックできないため、メンテナンス作業員の手間となり、危険性も高まる。
【考案の概要】
【考案が解決しようとする課題】
【０００７】
本考案が解決しようとする課題は、保護キャップを取り外す必要なく、外部から直接定着具よりも軸方向外側のＰＣ鋼より線の腐蝕防止または防錆用グリースが変質していないか、または定着具の部材の結合状況にずれがないか等、その他安全性に影響する懸念をチェックできる、橋梁ケーブルの定着具の透視モニタリング機構を提供することにある。
【課題を解決するための手段】
【０００８】
本願請求項１に係る考案は、橋梁ケーブルの定着具の透視モニタリング機構であって、該橋梁ケーブルが主塔上方に取り付けられる固定端と、橋梁側に固定される引張端をそれぞれ備え、固定端と引張端の間に前記橋梁ケーブルのケーブル線材が設置され、該ケーブル線材が前記定着具に挿通され、かつ該定着具により固定され、該定着具の軸方向外側に保護キャップが設置されて前記ケーブル線材を覆い、該保護キャップが透視可能な保護キャップであり、該保護キャップを取り外すことなく、外部から直接該定着具より軸方向外側のケーブル線材をチェックできる、ことを特徴とする、橋梁ケーブルの定着具の透視モニタリング機構である。
【０００９】
本願請求項２に係る考案は、前記保護キャップが、外部から透視可能なアクリル製保護キャップである、ことを特徴とする、請求項１に記載の橋梁ケーブルの定着具の透視モニタリング機構である。
【００１０】
本願請求項３に係る考案は、前記保護キャップが、外部から透視可能な強化ガラス製保護キャップである、ことを特徴とする、請求項１に記載の橋梁ケーブルの定着具の透視モニタリング機構である。
【００１１】
本願請求項４に係る考案は、前記保護キャップが、外部から透視可能なＰＣ保護キャップである、ことを特徴とする、請求項１に記載の橋梁ケーブルの定着具の透視モニタリング機構である。
【００１２】
本願請求項５に係る考案は、前記ケーブル線材が、ＰＣ鋼より線、ワイヤロープ、耐疲労性ケーブル、炭素繊維より線のいずれかである、ことを特徴とする、請求項１乃至４のいずれかに記載の橋梁ケーブルの定着具の透視モニタリング機構である。
【考案の効果】
【００１３】
本考案の橋梁ケーブルの定着具の透視モニタリング機構は、保護キャップを取り外す必要はなく、外部から直接定着具よりも外側のＰＣ鋼より線の腐蝕防止または防錆用グリースが変質していないか、または定着具の部材の結合状況にずれがないか等、その他安全性に影響する懸念をチェックでき、橋梁のメンテナンス作業員が迅速、安全に、随時検査・修理を行うことができるため、橋梁の使用寿命を延長し、橋梁の使用上の安全性を確保して、突然の断裂により発生する悲劇を回避することができる。
【図面の簡単な説明】
【００１４】
【図１】従来の斜張橋の概略図である。
【図２】従来のケーブル定着具の斜視図である。
【図３】本考案の実施例に係る橋梁ケーブルの概略図である。
【図４】本考案の実施例に係る定着具装置の側面図である。
【図５】本考案の実施例に係る定着具装置の斜視図である。
【図６】本考案の別の実施例に係る斜張橋の概略図である。
【考案を実施するための形態】
【００１５】
以下、図面に基づいて本考案の実施例を詳細に説明する。なお、本考案は、実施例に限定されない。
【００１６】
図３に示すように、本考案の橋梁ケーブルの定着具の透視モニタリング機構が採用される橋梁ケーブル２００は、その一端が主塔上方に固定される固定端３００であり、他端が橋梁側（例えば橋桁）に固定される引張端４００である。
固定端３００と引張端４００の間には外套管５００が設置され、外套管５００の内部にケーブル線材が設置される。ケーブル線材はＰＣ鋼より線、ワイヤロープ、耐疲労性ケーブルまたは炭素繊維ケーブルとすることができる。
また、固定端３００と引張端４００にはそれぞれ保護キャップ３０１、４０１、緩み防止板３０２、４０２、定着具３０３、４０３、定着具リング３０４、４０４が設置される。
【００１７】
図４に示すように、定着部３００Ａ、４００Ａの緩み防止板３０２、４０２、定着具３０３、４０３及び定着具リング３０４、４０４を組み立てた後、定着具３０３、４０３を通過した軸方向外側のＰＣ鋼より線（ケーブル線材）６００の外面にさらにエポキシ樹脂塗装を施して錆と腐蝕を防止するか、ＨＤＰＥ管７００で被覆してから、ＨＤＰＥ管７００の内部に腐蝕防止または防錆用グリースを注入し、最後に保護キャップ３０１、４０１を被せてＰＣ鋼より線６００を覆い密封する。
【００１８】
図５に示すように、保護キャップ３０１、４０１は透視可能な材質で製造された透視可能な保護キャップである。このため、橋梁のメンテナンス作業員が保護キャップ３０１、４０１を取り外すことなく、外部から定着具３０３、４０３より軸方向外側のＰＣ鋼より線６００のエポキシ樹脂塗装が脱落して錆や腐蝕が発生していないか、ＨＤＰＥ管７００内部の腐蝕防止または防錆用グリースが変質していないか、または定着具３０３、４０３の部材の結合状況にずれや不具合がないか等、安全性に影響する懸念を直接チェックすることができる。
【００１９】
例えば、保護キャップ３０１、４０１は、外部から透視可能なアクリル製保護キャップ、外部から透視可能な強化ガラス製保護キャップ、または外部から透視可能なＰＣ保護キャップとすることができる。
【００２０】
図６は、本考案の別の実施例を示す。
本実施例では、橋脚等の位置にカメラ８００等の監視器材を設置して、無線または有線方式で、橋梁のメンテナンス作業員が透視可能な保護キャップ３０１、４０１の外部から鋼より線の防錆グリースに変質がないか等を遠隔監視している。
かつ、保護キャップ３０１、４０１の全体が透視可能であり、異なる角度から直接チェックできるため、カメラ８００の設置位置にも柔軟性があり、定着具より軸方向外側の鋼より線の防錆グリースに変質が生じたり、部材にずれが発生したりなどの不具合を発見できれば、早期に介入して橋梁の安全を維持し、遺憾な悲劇の発生を回避することができる。
その他の構造は、図３乃至図５に示す実施例と同様である。
【００２１】
以上は本考案の最良の実施例を説明するものであり、本考案の要旨を逸脱しない改変は、すべて本考案の権利範囲内に含まれる。
【符号の説明】
【００２２】
１００                橋梁
１０１                主塔
１０２                ケーブル
１０３                定着具
１０４                金属保護キャップ
２００                橋梁ケーブル
３００                固定端
４００                引張端
５００                外套管
３００Ａ、４００Ａ    定着部
３０１、４０１        保護キャップ
３０２、４０２        緩み防止板
３０３、４０３        定着具
３０４、４０４        定着具リング
６００                ＰＣ鋼より線（ケーブル線材）
７００                ＨＤＰＥ管
８００                カメラ
【図１】
0003228129.tif 000003
【図２】
0003228129.tif 000004
【図３】
0003228129.tif 000005
【図４】
0003228129.tif 000006
【図５】
0003228129.tif 000007
【図６】
0003228129.tif 000008